(57)【要約】【課題】  本発明は、撮像光学部材および撮像素子を備えた被写体の撮影を行なって画像位置を生成する撮像装置に関し、携帯型機器への搭載に適合し、しかも広範な場面での撮像に適した撮像装置を提供する。【解決手段】  本体部１００、およびその本体部１００に対し回動自在であって、撮像レンズ３１０，３３０と撮像素子３２０，３４０とが配備された撮像ユニット３００を備え、本体部１００が、撮像ユニット３００が所定の回動位置にあるときに、撮像レンズ３１０,３３０と共同して、接写撮影を行なうための接写レンズ１６０を備えた。【選択図】        図２
2005109825.tif 000002
【特許請求の範囲】
【請求項１】
本体部、および
該本体部に対し回動自在であって、撮像光学部材と撮像素子とが配備された撮像ユニットを備え、
前記本体部が、前記撮像ユニットが所定の回動位置にあるときに、前記撮像光学部材と共同して、該撮像光学部材のみの撮影効果とは異なる撮影効果を与える補助光学部材を備えたことを特徴とする撮像装置。
【請求項２】
前記撮像光学部材が焦点距離可変な撮像光学部材であることを特徴とする請求項１記載の撮像装置。
【請求項３】
前記撮像ユニットは、相互に異なる撮影効果を与える複数の撮像光学部材と、該複数の撮像光学部材それぞれに対応する複数の撮像素子とが配備されたものであることを特徴とする請求項１記載の撮像装置。
【請求項４】
前記補助光学部材は、前記撮像ユニットの回動位置に応じて、前記複数の撮像光学部材のいずれとも共同して該撮像光学部材のみの撮影効果とは異なる撮影効果を与えるものであることを特徴とする請求項３記載の撮像装置。
【請求項５】
前記本体部が、
画像信号に基づく画像を表示する表示画面と、
所定の表示開始操作に応じて、前記表示画面に、前記複数の撮像素子により得られた複数の画像信号に基づく複数の画像を並べて表示し、所定の画像選択操作に応じて、前記複数の撮像素子のうちの該画像選択操作に応じた撮像素子により撮像を行なうモードに移行するとともに、前記表示画面に、前記複数の画像を表示することに代えて該画像選択操作に応じた撮像素子により得られた画像のみを表示する制御部とを備えたことを特徴とする請求項３記載の撮像装置。
【発明の詳細な説明】
【技術分野】
【０００１】
本発明は、撮像光学部材および撮像素子を備えた被写体の撮影を行なって画像位置を生成する撮像装置に関する。
【背景技術】
【０００２】
ＣＣＤ（Ｃｈａｒｇｅ  Ｃｏｕｐｌｅｄ  Ｄｅｖｉｃｅ）タイプの固体撮像素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）タイプの固体撮像素子の発達に伴い、それまでの銀塩写真フィルム上に撮影を行なうタイプのカメラに代わり、固体撮像素子上に被写体像を結像して画像信号を得るいわゆるデジタルカメラが急速に普及してきている。さらに、近年では、例えば携帯電話やＰＤＡ（Ｐｅｒｓｏｎａｌ  Ｄｉｇｉｔａｌ  Ａｓｓｉｓｔａｎｔ）といった携帯型機器の発達もあり、それらの携帯型機器にデジタルカメラの機能が組み込まれたタイプのものも普及してきている。携帯型機器への組込みタイプの場合小型化の要請が強いが、その小型化を満足しつつも例えば接写性能やその他広範な場面で撮影を行なうことができるよう益々の高機能化が求められてきている。
【０００３】
デジタルカメラによる撮影の場面を増やす工夫として、例えば、特許文献１にはマスターレンズのほかにコンバータレンズを備え、かつコンパクトに構成したカメラ装置が提案されている。
【０００４】
また、特許文献２には、自動車走行の安全性を確保する目的で、複数の撮影素子と複数のレンズを備え、一方のレンズおよび撮像素子で前方を撮影するとともに他方のレンズおよび撮像素子で下方を撮影する自動車装着用カメラが提案されている。
【０００５】
また携帯電話に相互に焦点距離の異なる撮影レンズおよび各撮影レンズに対応した撮像素子を備え、各撮像素子で得られる画像同士の間を電子ズームでつなぐことにより画質の劣化を押えた擬似ズームを実現することが考えられている。
【特許文献１】特開平９−２８１５７８号公報
【特許文献２】特開２００３−１６９２３３号公報
【発明の開示】
【発明が解決しようとする課題】
【０００６】
携帯型機器にカメラ機能を搭載し、その搭載されたカメラで広範な場面で撮像を行ない高画質な画像を得ようとすると、撮像レンズ等も例えば複数枚のレンズで構成し、接写レンズ等のコンバージョンレンズも備えるなど、ある程度の部品点数の増加は止むを得ない。そのような条件の下で、如何にして携帯型機器に適合し高機能であってしかも小型化されたデジタルカメラを構成するかが問題となる。
【０００７】
本発明は、上記事情に鑑み、携帯型機器への搭載に適合し、しかも広範な場面での撮像に適した撮像装置を提供することを目的とする。
【課題を解決するための手段】
【０００８】
上記目的を達成する本発明の撮像装置は、
本体部、および
その本体部に対し回動自在であって、撮像光学部材と撮像素子とが配備された撮像ユニットを備え、
上記本体部が、上記撮像ユニットが所定の回動位置にあるときに、上記撮像光学部材と共同して、その撮像光学部材のみの撮影効果とは異なる撮影効果を与える補助光学部材を備えたことを特徴とする。
【０００９】
ここで、上記の「撮像効果」は、例えばソフトフォーカスやその他の特殊効果のような特定の効果に限定されるものではなく、例えば焦点距離や撮像画角の相違も、ここでいう撮像効果の相違に含まれる。
【００１０】
本発明の撮像装置は、撮像ユニットを本体部に対して回動自在とし、その本体部に補助光学部材、例えば接写レンズ等を備えたため、その回動位置に応じて補助光学部材を用いた撮像や補助光学部材を用いずに撮像光学部材のみを用いた撮影を行なうことができ、広範な場面での撮像を行なうことができる。また、本発明の撮像装置によれば、撮像ユニットを本体部とは別体に構成し本体部に対し回動自在としたため、例えば従来の携帯電話のような撮影レンズと撮像素子をその携帯電話の筐体の厚み方向に固定的に並べて配置する構成と比べ、撮像光学部材の複数レンズ群構成とするなど、撮像光学部材の構成の自由度が大幅に向上する。
【００１１】
ここで、上記本発明の撮像装置において、上記撮像光学部材が焦点距離可変な撮像光学部材であることが好ましい。
【００１２】
本発明の撮像装置の場合、本体部に対し回動自在な撮像ユニットを備えたものであるため、撮像光学部材の構成の自由度が高まり、これを利用してその撮像光学部材として焦点距離可変な撮像光学部材を備えると、撮像にあたり焦点距離を調整することができ、さらに広範な場面で撮像を行なうことができる。
【００１３】
また、上記本発明の撮像装置において、撮像ユニットは、相互に異なる撮影効果を与える複数の撮像光学部材と、それら複数の撮像光学部材それぞれに対応する複数の撮像素子とが配備されたものであることも好ましい形態である。
【００１４】
撮像光学部材の構成の自由度の高さを利用し、相互に異なる撮影効果を与える撮像光学部材、例えば広角レンズと望遠レンズ等を備えると、一層広範な場面での撮像が可能となる。
【００１５】
ここで、撮像ユニットが複数の撮像光学部材を備えた場合、上記補助光学部材は、撮像ユニットの回動位置に応じて、複数の撮像光学部材のいずれとも共同して撮像光学部材のみの撮影効果とは異なる撮影効果を与えるものであることが好ましい。
【００１６】
このように構成すると、補助光学部材の機能が最大限に引き出され、一層広範な場面での撮像が可能となる。
【００１７】
さらに、複数の撮像光学部材が配備された撮像ユニットを備えた場合、上記本体部が、画像信号に基づく画像を表示する表示画面と、所定の表示開始操作に応じて、表示画面に、複数の撮像素子により得られた複数の画像信号に基づく複数の画像を並べて表示し、所定の画像選択操作に応じて、それら複数の撮像素子のうちの画像選択操作に応じた撮像素子により撮像を行なうモードに移行するとともに、表示画面に、複数の画像を表示することに代えてその画像選択操作に応じた撮像素子により得られた画像のみを表示する制御部とを備えるものであることが好ましい。
【００１８】
こうすることにより、複数の撮像光学部材の中から今回の撮像に用いる撮像光学部材を容易にかつ誤りなく選択することができる。
【発明の効果】
【００１９】
以上、本発明によれば、広範な場面での撮影が可能であって、しかも携帯型に組み込むのに適した撮像装置を提供することができる。
【発明を実施するための最良の形態】
【００２０】
以下、本発明の実施形態について説明する。
【００２１】
図１は、携帯電話に一体的に組み込まれた、本発明の撮像装置の第１実施形態を示す外観斜視図である。以下では、この図１に示す機器を携帯電話機能を含め撮像装置と称する。
【００２２】
この図１に示す撮像装置１０は、本体部１００と、その本体部１００に対する矢印Ａ−Ａ′方向に開閉するフラッパ２００と、本体部１００に対し矢印Ｂ−Ｂ′方向に回動する撮像ユニット３００から構成されている。
【００２３】
本体部１００には、この図１に示す外観上、携帯電話機型の各種の操作ボタンからなる操作部１１０と、画像信号に基づく画像が表示される表示画面１２０と、撮像ユニット３００の回動方向を検出するスイッチ１３０と、携帯電話機能のためのアンテナ１４０と、スピーカからの音声を放つための送話口１５０と、接写レンズ１６０とが備えられている。スイッチ１３０は、２つの接点１３０ａ，１３０ｂからなる。その理由については後述する。
【００２４】
またフラッパ２００には、話者の声をマイクロホンに伝えるための受話口２１０が設けられている。
【００２５】
また、撮像ユニット３００には、図１に示す回動状態で説明すると、矢印Ｃ方向の被写体からの光を導く撮影レンズ３１０とその撮影レンズ３１０により結像された被写体像を捉えて画像信号を生成するＣＣＤ固体撮像素子３２０とのペア、および、矢印Ｄ方向の被写体からの光を導く撮影レンズ３３０と、その撮影レンズ３３０により結像された被写体像を捉えて画像信号を生成するＣＣＤ固体撮像素子３４０とのペアが配備されている。この撮像ユニット３００に配備された２つの撮像レンズ３１０，３３０は相互に焦点距離が異なっており、撮影レンズ３１０は広角レンズ、撮影レンズ３３０は望遠レンズとなっている。
【００２６】
撮像ユニット３００を用いた撮像を行なうには、先ずフラッパ２００を開き、操作部１１０に備えられた操作ボタンのうちの電源／切替ボタン１１１を一秒以上押し続ける。すると、この撮像装置１０に電源が投入される。電源が投入された直後は電話機能のみがオンとなり、その電源／切替ボタン１１１を今度は短時間だけ押すとカメラ機能主体のモードとなる。このモードでは電話機能は受信の待受状態となり、発振することはできない。その電源／切替ボタン１１１をもう一度短時間押すとカメラ機能はオフとなり電話機能のみがオンとなる。さらに、いずれのモードにあるときであっても、その電源／切替ボタン１１１を再度１秒以上押し続けると電源オフとなる。
【００２７】
カメラ機能主体のモードにあるときに、操作部１１０中の２つのボタン１１２，１１３を押すことにより、撮像ユニット３００に配備された２つの撮像レンズ３１０，３３０と２つの固体撮像素子３２０，３４０とからなる２つのペアのうちのいずれのペアを用いた撮影を行なうかが選択され、それら２つのボタンに挟まれたもう１つのボタン１１４により、撮影を行なうペアの選択が確定され、そのボタン１１４を再度押すことによりそのペアを用いた撮像が行なわれる。この点の詳細は後述する。
【００２８】
図２は、図１に示す撮像装置と同一の撮像装置であって、図１に示す状態から撮像ユニット３００を９０°回動させた状態を示す図である。
【００２９】
撮像ユニット３００を図２に示す状態に回動させると、撮像レンズ３１０の光軸上の前面に接写レンズ１６０が配置された状態となり、矢印Ｅ方向にある被写体の接写撮影が行なわれる。
【００３０】
尚、この撮像ユニット３００は、もう一方の撮像レンズ３３０が接写レンズ１６０側となるように、図２に示す状態から１８０°回動させた状態とすることもでき、その場合は、撮影レンズ３３０と接写レンズ１６０とにより、撮影レンズ３１０を接写撮影に使う場合とは異なる倍率で接写撮影を行なうことができる。
【００３１】
ここで、撮像ユニット３００の下部の、撮像レンズ３１０が配置された側には、スイッチ１３０の接点１３０ａに対応する位置に突起があり、また、撮像ユニット３００の下部の、撮像レンズ３３０が配置された側にはスイッチ１３０の接点１３０ｂに対応する位置に突起がある。したがって、撮像ユニット３００が、図２に示すように、撮影レンズ３１０が接写レンズ１６０側となるように回動されるとスイッチ１３０の２つの接点１３０ａ，１３０ｂのうちの一方の接点１３０ｂのみが押され、それとは１８０°異なる動き、すなわち、撮像レンズ３３０が接写レンズ１６０側となるように回動されるとスイッチ１３０の２つの接点１３０ａ，１３０ｂのうちのもう一方の接点１３０ａのみが押される。これにより、撮像ユニット３００が外見上は図２に示すような状態にある場合であっても、２つの撮像レンズ３１０，３３０のうちのいずれの撮影レンズが接写レンズ１６０側にあるか判別できるようになっている。
【００３２】
図３は、図１、図２に示す撮像装置１０の内部の概略構成を示すブロック図である。
【００３３】
前述したとおり、撮像ユニット３００には、撮像レンズ３１０とＣＣＤ固体撮像素子３２０とのペアと、撮像レンズ３３０とＣＣＤ固体撮像素子３４０とのペアとが配備されている。また、図１、図２に示す本体部１００には、接写レンズ１６０が備えられている。
【００３４】
２つのＣＣＤ固体撮像素子３２０，３４０のそれぞれで得られた画像信号は画像処理部６００に入力されて利得調整、Ａ／Ｄ変換が行なわれ、さらに、ホワイトバランス補正、ガンマ補正等の各種画像処理が行なわれ、表示部１９０では、表示画面１２０（図１、図２参照）上に、それらの画像処理後の画像信号に基づいて画像が表示され、記録部１８０には、画像処理部６００における、さらに圧縮処理の行なわれた画像信号が送られてその記録部１８０に配備された画像メモリ（図示せず）に画像信号が記録される。
【００３５】
また、この撮像装置１０には、撮像ユニット３００の回動位置を検出するスイッチ１３０（図１参照）のオン／オフやその他この撮像装置１０の様々な状態を検出する検出部５１０、図１、図２にも示す、多数の操作ボタンが配列されそれらの操作ボタンの操作の検出が行なわれる操作部１１０が備えられている。
【００３６】
検出部５１０における検出結果および操作部１１０における操作ボタンの操作状態は制御部５００に通知され、制御部５００は、それらの通知に基づいて、画像処理部６００、記録部１８０、表示部１９０、および後述する通信部４００の動作を制御する。
【００３７】
この図３に示すマイクロホン４１０は、図１、図２に示すフラッパ２００の受話口２１０の内側の位置に配備されていて話者の声をピックアップするものであり、スピーカ４２０は、図１、図２に示す本体部１００の送話口１５０の内側に配備されていて、電話の相手から送られてきた音声を発するものである。
【００３８】
通信部４００は、それらマイクロホン４１０とスピーカ４２０、さらに図１、図２にも示すアンテナ１４０に接続され、制御部５００の制御を受けて、電話のための通信を担当している。この通信部４００はいわゆる電子メールの送受信も担当するが、本発明の特徴とは直接な関係がないため電話や電子メールの機能についてはこれ以上の詳細説明は省略する。
【００３９】
図４は、図１、図２に示す表示画面１２０に表示される画像の例を示した図である。
【００４０】
図４（Ａ）は、撮像ユニット３００に配置された撮像レンズ３１０とＣＣＤ固体撮像素子３２０とのペアでの撮像により得られた画像信号に基づく画像と、もう１つの撮像レンズ３３０とＣＣＤ固体撮像素子３４０とのペアでの撮影により得られた画像信号に基づく画像とが並べて表示された状態を表示しており、図４（Ｂ）は、それら２つのペアのうちの撮像レンズ３１０とＣＣＤ固体撮像素子３２０とのペアでの撮像により得られた画像信号に基づく画像のみ表示された状態を示している。図４（Ａ）の表示状態と図４（Ｂ）の表示状態との切替えについては図５のフローチャートの説明の中で説明する。
【００４１】
図５は、図１〜図３に示す撮像装置１０における、主として撮像に関する処理を示したフローチャートである。
【００４２】
電源／切替ボタン１１１が１秒以上押されると電源オンとなり、この図５に示す処理が実行され、先ずこの撮像装置１０の各部の初期設定が行なわれる（ステップａ）。
【００４３】
次にその電源／切替ボタン１１１を短時間押すと、撮影が主体のモードに切り替わり、もう一度短時間押すと撮影はオフとなって再度電話機能のみのモードに切り替わり、それらのモードが交互に切り替わる。
【００４４】
ステップｂでは、現在撮影主体のモードにあるか否かが判定され、電話機能のみのモードのときは、ステップｇに進んで「その他の処理」が行なわれる。ここでは、撮影処理を中心に説明しており、電話の送受信等の処理は、この「その他の処理」に含まれる。電話機能のみのモードにあったときは、ステップｂで撮影主体のモードであるか否かが判定され電話機能のみのモードであるのでステップｇのその他の処理が実行されてステップｂに戻るというシーケンスが繰り返される。
【００４５】
電話機能のみのモードにあるときに電源／切替ボタン１１１が短時間押され、撮影主体のモードに移行すると、ステップｂでその旨判定され、ステップｃに進む。ステップｃでは、撮像ユニット３００が回動状態にあるか否かが判定される。ここでは、撮像ユニット３００が図１に示す状態にあるときを回動状態と称し、図２に示す状況にあるときを収納状態と称する。撮像ユニット３００が回動状態にあるか収納状態にあるかは、図１に示すスイッチ１３０の検出状態により判定される。前述したように、このスイッチ１３０は２つの接点１３０ａ，１３０ｂからなり、いずれの接点がオン状態にあるかにより、２つの撮影レンズ３１０，３３０の向きも判別できるようになっている。
【００４６】
ステップｃで、撮像ユニット３００が回動状態にはなく、図２に示すような収納状態にある旨判定されると、ステップｄに進み、２つのＣＣＤ固体撮像素子３２０，３４０のうちの、その収納状態において接写レンズ１６０側を向いている撮像レンズとペアをなすＣＣＤ固体撮像素子で得られる画像信号のみが採用され、図１、図２に示す表示画面１２０に、その画像信号に基づく１つの画像が表示される。
【００４７】
その状態で、操作ボタン１１４が押されると撮像操作が行なわれた旨判定され（ステップｅ）、そのＣＣＤ固体撮像素子で得られた画像信号に画像記録のための画像処理が施されたその画像処理後の画像信号が記録部１６０に記録される（ステップｆ）。このステップｆにおける撮像処理が終了すると再びステップｂに戻る。
【００４８】
ステップｃで、撮像ユニット３００が、図１に示すような回動状態にあると判定されると、撮像ユニット３００に配備された２つのＣＣＤ固体撮像素子３２０，３４０のそれぞれで得られた２つの画像信号に基づく２つの画像が、図１、図２に示す表示画面１２０上に並べて表示される（ステップｈ）。図４（Ａ）は、このときの表示状態を示したものである。
【００４９】
その表示画面１２０には、２つの画像とともにカーソル１２１（図４（Ａ）参照）が表示され図１に示す２つの操作ボタン１１２，１１３を操作すると、いずれの操作ボタン１１２，１１３を操作したかに応じてそのカーソル１２１が左右の２つの画像のいずれかを指し示す位置に移動し、そのカーソル１２１が所望の画像を指し示すようにカーソル１２１を移動させて操作ボタン１１４を押すと、その操作ボタン１１４が押されたタイミングでカーソル１２１が指し示していた画像を選択したものと判定され（ステップｉ）、今度はその選択された１つの画像のみが表示される（ステップｊ）。図４（Ｂ）は、このときの表示状態を示したものである。
【００５０】
このようにして、２つのＣＣＤ固体撮像素子３２０，３４０のうちのいずれの固体撮像素子で撮影を行なうかを決めた後、操作ボタン１１４を押すと今度はこの操作ボタン１１４の操作は撮影操作とみなされ（ステップｋ）、その選択されているＣＣＤ固体撮像素子で得られた画像信号に画像記録のための画像処理が施されてその画像処理数の画像信号が記録部１８０に記録される（ステップｌ）。
【００５１】
その後、ステップｍにおいて、撮影終了か否か、すなわち、図１に示す電源／切替ボタンが押されて電話機能のみのモードに移行したか否かが判定され、また撮影を続行するときはステップｋに戻り、撮影終了のときは、ステップｇに進む。
【００５２】
以上の処理が電源／切替ボタン１１１が１秒以上押し続けられて電源オフとなるまで繰り返される。
【００５３】
図６、図７は、本発明の撮像装置の第２実施形態を示す外観斜視図である。
【００５４】
ここでは、これまで説明してきた第１実施形態との相違点のみについて説明する。
【００５５】
図６、図７に示す第２実施形態では、本体部１００の、図１に示すような収納状態にある撮像ユニット３００を挟む位置に、第１実施形態においても備えられている接写レンズ１６０と、もう１つの補助レンズ１７０が配備されている。この補助レンズ１７０は、ここでは、接写レンズ１６０とは倍率の異なるもう１つの接写レンズである。但し、ここには接写レンズ以外の他の特殊効果を狙ったレンズ、例えば撮像ユニット３００に配備された撮影レンズと共同して魚眼レンズを構成する補助レンズを備えてもよい。
【００５６】
ここには、２つの接写レンズ１６０，補助レンズ１７０を備えており、撮像ユニット３００が図７に示す収納状態にあるときには、撮像ユニット３００に配備された２つの撮像レンズ３１０，３３０のうちの撮像レンズ３１０と接写レンズ１６０とによりある倍率での接写撮影可能となると同時に、もう１つの撮像レンズ３３０ともう１つの補助レンズ１７０とにより別の倍率での接写撮影可能な状態となる。
【００５７】
図７に示す収納状態から撮像ユニット３００を１８０°回転させると、今度は、撮像レンズ３３０と接写レンズ１６０とにより接写が可能となると同時に撮像レンズ３１０と補助レンズ１７０とにより接写が可能となる。
【００５８】
このようにして、この実施形態の場合、４つの倍率の接写撮影が可能となる。
【００５９】
この実施形態の場合、撮像ユニット３００が収納状態にある場合であっても、撮像ユニット３００が回動状態にある場合と同様に２つのＣＣＤ固体撮像素子３２０，３４０のいずれでも撮像が可能であり、したがって表示画面１２０上には先ず２画像を表示し、そのうちの一方の画像を選択して撮像を行なうという処理が行なわれる。
【００６０】
図８、図９は、本発明の撮像装置の第３実施形態を示す外観斜視図である。
【００６１】
ここでも、第１実施形態との相違点のみについて説明する。
【００６２】
これまで説明してきた第１実施形態、第２実施形態の場合、撮像ユニット３００には２つの撮像レンズ３１０，３３０と２つのＣＣＤ固体撮像素子３２０，３４０が配置されており、撮像ユニット３００の長手方向の中心を回動中心として回動するように構成されているが、図８、図９に示す第３実施形態の場合、撮像ユニット３００には１つの撮像レンズ３１０と１つのＣＣＤ固体撮像素子３２０が配備されており、その撮像ユニット３００のＣＣＤ固体撮像素子３２０が配備された側の端部近傍が回動中心となり、図８に示す矢印Ｆ−Ｆ′方向に１８０°に渡って回動可能となっている。
【００６３】
この図８、図９に示す撮像ユニット３００に配備された撮影レンズ３１０はズームレンズであり、２つの操作ボタン１１２，１１３はズームボタンとして作用し、それら２つの操作ボタン１１２，１１３の一方を押すとそのズームレンズの焦点距離が広角側に変化し他方を押すとそのズームレンズの焦点距離が望遠側に変化する。
【００６４】
この撮像ユニット３００は、図８に示す方向と、図９に示す方向と、さらに図８に示す方向から１８０°向きを変えて、この撮像装置の操作部１１０や表示画面１２０が配置された側に向けることができる。図９に示す収納状態にあるときは、その撮像ユニット３００に配備された撮影レンズ３１０は、接写レンズ１６０と共同して接写撮影を行なうことができる状態となる。
【００６５】
この第３実施形態の場合、ＣＣＤ固体撮像素子は１つのみ備えられており、したがって図４（Ａ）に示すような２画面を並べて表示する表示状態は存在せず、常に１画像のみの表示となる。
【００６６】
尚、ここでは、携帯電話と一体的に構成された撮像装置について説明したが、本発明の撮像装置は、携帯電話とのみ一体化されるものではなく、例えばＰＤＡ等他の携帯型機器と一体的に構成されていてもよい。又、上記接写レンズなどの補助光学部材は実施例では本体に固定のみで有るが本体から着脱可能にする事も充分化可能である。
【図面の簡単な説明】
【００６７】
【図１】携帯電話に一体的に組み込まれた、本発明の撮像装置の第１実施形態を示す外観斜視図である。
【図２】図１に示す撮像装置と同一の撮像装置であって、図１に示す状態から撮像ユニット３００を９０°回動させた状態を示す図である。
【図３】図１、図２に示す撮像装置１０の内部の概略構成を示すブロック図である。
【図４】図１、図２に示す表示画面１２０に表示される画像の例を示した図である。
【図５】図１〜図３に示す撮像装置１０における、主として撮像に関する処理を示したフローチャートである。
【図６】本発明の撮像装置の第２実施形態を示す外観斜視図である。
【図７】図６に示す撮像装置と同一の撮像装置であって、図６に示す状態から撮像ユニット３００を９０°回動させた状態を示す図である。
【図８】本発明の撮像装置の第３実施形態を示す外観斜視図である。
【図９】図８に示す撮像装置と同一の撮像装置であって、図８に示す状態から撮像ユニット３００を９０°回動させた状態を示す図である。
【符号の説明】
【００６８】
１０    撮像装置
１００    本体部
１１０    操作部
１１１    電源／切替ボタン
１１２,１１３,１１４    ボタン
１２０    表示画面
１３０    スイッチ
１３０ａ，１３ｂ    接点
１４０    アンテナ
１５０    送話口
１６０    接写レンズ
１７０    補助レンズ
１８０    記録部
１９０    表示部
２００    フラッパ
２１０    受話口
３００    撮像ユニット
３１０,３３０    撮影レンズ
３２０,３４０    ＣＣＤ固体撮像素子
４００    通信部
４１０    マイクロホン
４２０    スピーカ
５００    制御部
５１０    検出部
６００  画像処理部
【図１】
2005109825.tif 000003
【図２】
2005109825.tif 000004
【図３】
2005109825.tif 000005
【図４】
2005109825.tif 000006
【図５】
2005109825.tif 000007
【図６】
2005109825.tif 000008
【図７】
2005109825.tif 000009
【図８】
2005109825.tif 000010
【図９】
2005109825.tif 000011